(57)【特許請求の範囲】
【請求項１】
プロジェクター機器が作動状態にある際に、プロジェクター機器が落下する際の落下関連情報をリアルタイムに取得することと、
プロジェクター機器の落下関連情報に基づき冷却ファンの落下状態情報を確定することと、
冷却ファンの落下状態情報がドロップ状態であって冷却ファンが作動状態にある際に、冷却ファンの運転を停止することと、を含むプロジェクター機器の冷却ファンの保護を実現する方法。
【請求項２】
前記プロジェクター機器が落下する際の落下関連情報をリアルタイムに取得するのは、
二軸又は三軸の加速度センサーによって、プロジェクター機器が落下する際の時間情報及び加速度情報をリアルタイムに取得することを含む請求項1に記載の方法。
【請求項３】
前記落下関連情報に基づき落下状態情報を確定するのは、
加速度センサーが取得したプロジェクター機器の加速度が第1閾値に達し、且つ前記時間情報に基づき持続時間が200ミリ秒に達することを確定した際に、落下状態情報がドロップ状態であることを確定することを含み、
前記第1閾値は絶対値が0.2より小さいいずれかの所定の値と重力加速度を乗算した積である請求項2に記載の方法。
【請求項４】
加速度センサーが取得したプロジェクター機器の加速度が第2閾値範囲内であって、前記時間情報に基づき持続時間が1〜2秒の間のいずれかの所定の値に達することを確定した際に、落下状態情報がドロップ静止状態であることを確定することと、
落下状態情報がドロップ静止であって投影ユニットが投影している際に、冷却ファンを起動することと、を更に含み、
前記第2閾値は0.8と1.2とのそれぞれに重力加速度を乗算した積の区間値である請求項3に記載の方法。
【請求項５】
プロジェクター機器が落下する際の落下関連情報をリアルタイムに取得する前に、該方法の前に、投影ユニットと冷却ファンとの作動状態を取得することを更に含む請求項1〜4のいずれか1項に記載の方法。
【請求項６】
取得ユニットと処理ユニットを備え、
前記取得ユニットは、プロジェクター機器が作動状態にある際に、プロジェクター機器が落下する際の落下関連情報をリアルタイムに取得するように設定され、
前記処理ユニットは、プロジェクター機器の落下関連情報に基づき冷却ファンの落下状態情報を確定し、冷却ファンの落下状態情報がドロップ状態であって冷却ファンが作動状態にある際に、冷却ファンの運転を停止するように設定されるプロジェクター機器の冷却ファンの保護を実現する装置。
【請求項７】
前記取得ユニットは二軸又は三軸の加速度センサーからなり、前記取得ユニットはプロジェクター機器の落下時の時間情報と加速度情報をリアルタイムに取得するように設定される請求項6に記載の装置。
【請求項８】
前記処理ユニットは落下状態情報分析モジュールと処理モジュールを備え、
前記落下状態情報分析モジュールは、加速度センサーが取得したプロジェクター機器の加速度が第1閾値に達し、且つ前記時間情報に基づき持続時間が200ミリ秒に達することを確定した際に、落下状態情報がドロップ状態であることを確定するように設定され、
前記処理モジュールは、落下状態がドロップ状態である際に、冷却ファンの運転を停止するように設定され、
前記第1閾値は絶対値が0.2より小さいいずれかの所定の値と重力加速度を乗算した積である請求項7に記載の装置。
【請求項９】
前記落下状態情報分析モジュールは、前記加速度センサーが取得した前記プロジェクター機器の加速度が第2閾値範囲内であって、前記時間情報に基づき持続時間が1〜2秒の間のいずれかの所定の値に達することを確定した際に、落下状態情報がドロップ静止状態であることを確定するように設定され、
処理モジュールは更に、落下状態情報がドロップ静止であって投影ユニットが投影している際に、冷却ファンを起動するように設定され、
前記第2閾値は0.8と1.2とのそれぞれに重力加速度を乗算した積の区間値である請求項8に記載の装置。
【請求項１０】
投影ユニットと冷却ファンとの作動状態感知ユニットを更に備え、前記作動状態感知ユニットは投影ユニットと冷却ファンとの作動状態を取得するように設定される請求項6〜9のいずれか1項に記載の装置。
【請求項１１】
プログラム命令を含み、該プログラム命令がプロジェクター機器によって実行される際に、該プロジェクター機器は請求項1〜5に記載の方法を実行することができるコンピュータ読み取り可能な記録媒体に記憶されるコンピュータプログラム。
【請求項１２】
請求項11に記載のコンピュータプログラムが載せられたコンピュータ読み取り可能な記憶媒体。
【発明の詳細な説明】
【技術分野】
【０００１】
本願はプロジェクター機器分野に関し、特にプロジェクター機器の冷却ファンの保護を実現する方法及び装置に関する。
【背景技術】
【０００２】
投影技術の発展に伴って、プロジェクター機器は携帯性と実用性の方向へ進化し、より多くのポータブルプロジェクター機器が市場に出現する。マイクロプロジェクター機器は体積が減少すると同時に、持続的にその投影の解像度と輝度を向上させ、従来のプロジェクター機器の解像度、輝度、投影面積、投影距離等の方面の性能に次第に近接する。
【０００３】
ポータブルプロジェクター機器は、解像度と輝度を向上させると同時に、消費電力の増加をもたらし、このため、理論的により大きい口径とより大きい電力の冷却ファンを採用する必要があり、プロジェクター機器を効果的に放熱する。より大きい口径とより大きい電力の冷却ファンを採用すると、作動する際に、口径の増加及び回転数の向上のため、そのドロップ抵抗能力がはるかに低下し、冷却ファンの損壊を引き起こしやすい。
【０００４】
冷却ファンのドロップ抵抗能力の問題を効果的に解決することができないため、従来、ポータブルプロジェクター機器は、主にプロジェクター機器の内部の小電力の冷却ファンに補助放熱装置を加えて放熱し、プロジェクター機器の体積を増加させ、携帯使用に不利である。
【発明の概要】
【発明が解決しようとする課題】
【０００５】
上記の問題を解決するために、本発明の実施例はプロジェクター機器の冷却ファンの保護を実現する方法及び装置を提供し、プロジェクター機器がドロップする際に、冷却ファンが損壊するリストを低下させ、且つプロジェクター機器の携帯性を向上させる。
【課題を解決するための手段】
【０００６】
本願の実施例はプロジェクター機器の冷却ファンの保護を実現する方法を提供し、
プロジェクター機器が作動状態にある際に、プロジェクター機器が落下する際の落下関連情報をリアルタイムに取得することと、
プロジェクター機器の落下関連情報に基づき冷却ファンの落下状態情報を確定することと、
冷却ファンの落下状態情報がドロップ状態であって冷却ファンが作動状態にある際に、冷却ファンの運転を停止することと、を含む。
【０００７】
選択的に、プロジェクター機器が落下する際の落下関連情報をリアルタイムに取得するのは、具体的に、
二軸又は三軸の加速度センサーによって、プロジェクター機器が落下する際の時間情報及び加速度情報をリアルタイムに取得することを含む。
【０００８】
選択的に、落下関連情報に基づき落下状態情報を確定するのは、具体的に、
加速度センサーが取得したプロジェクター機器の加速度は第1閾値に達し、且つ前記時間情報に基づき持続時間が200ミリ秒に達することを確定した際に、落下状態情報がドロップ状態であることを確定することを含み、
第1閾値は絶対値が0.2より小さいいずれかの所定の値と重力加速度を乗算する積である。
【０００９】
選択的に、該方法は、
加速度センサーが取得したプロジェクター機器の重力加速度が第2閾値範囲内であって、前記時間情報に基づき持続時間が1〜2秒の間のいずれかの所定の値に達することを確定した際に、落下状態情報がドロップ静止状態であることを確定することと、
落下状態情報がドロップ静止であって、投影ユニットが投影している際に、冷却ファンを起動することと、を更に含み、
第2閾値は0.8と1.2とのそれぞれに重力加速度を乗算した積の区間値である。
【００１０】
選択的に、該方法の前に、投影ユニットと冷却ファンとの作動状態を取得することを更に含む。
【００１１】
他の態様によれば、本願の実施例はプロジェクター機器の冷却ファンの保護を実現する装置を更に提供し、取得ユニットと処理ユニットを備え、
取得ユニットは、プロジェクター機器が作動状態にある際に、プロジェクター機器が落下する際の落下関連情報をリアルタイムに取得するように設定され、
処理ユニットは、プロジェクター機器の落下関連情報に基づき冷却ファンの落下状態情報を確定し、冷却ファンの落下状態情報がドロップ状態であって冷却ファンが作動状態にある際に、冷却ファンの運転を停止するように設定される。
【００１２】
選択的に、取得ユニットは二軸又は三軸の加速度センサーからなり、プロジェクター機器の落下時の時間情報と加速度情報をリアルタイムに取得するように設定される。
【００１３】
選択的に、処理ユニットは落下状態情報分析モジュールと処理モジュールを備え、
落下状態情報分析モジュールは、加速度センサーが取得したプロジェクター機器の加速度が第1閾値に達し、且つ前記時間情報に基づき持続時間が200ミリ秒に達することを確定した際に、落下状態情報がドロップ状態であることを確定するように設定され、
処理モジュールは、落下状態情報がドロップ状態である際に、冷却ファンの運転を停止するように設定され、
第1閾値は絶対値が0.2より小さいいずれかの所定の値と重力加速度を乗算する積である。
【００１４】
選択的に、落下状態情報分析モジュールは更に、加速度センサーが取得したプロジェクター機器の重力加速度が第2閾値範囲内であって、前記時間情報に基づき持続時間が1〜2秒の間のいずれかの所定の値に達することを確定した際に、落下状態情報がドロップ静止状態であることを確定するように設定され、
処理モジュールは更に、落下状態情報がドロップ静止であって投影ユニットが投影している際に、冷却ファンを起動するように設定され、
第2閾値は0.8と1.2とのそれぞれに重力加速度を乗算した積の区間値である。
【００１５】
選択的に、該装置は投影ユニットと冷却ファンとの作動状態感知ユニットを更に備え、投影ユニットと冷却ファンとの作動状態を取得するように設定される。
【００１６】
本発明の実施例はコンピュータプログラムを更に提供し、プログラム命令を含み、該プログラム命令がプロジェクター機器によって実行される際に、該プロジェクター機器は上記方法を実行することができる。
【００１７】
本発明の実施例は上記コンピュータプログラムが載せられたコンピュータ読み取り可能な記憶媒体を更に提供する。
【発明の効果】
【００１８】
本発明の実施例は冷却ファンの落下状態情報をリアルタイムに取得し、ドロップ状態であるのを判断したプロジェクター機器の冷却ファンに対して作動処理を停止することによって、冷却ファンが作動する際のドロップ抵抗能力が低下し、ドロップする際に冷却ファンを損壊することを避け、より大きい口径とより大きい電力の冷却ファンがプロジェクター機器に応用されることができ、ドロップが停止した後に、プロジェクター機器の冷却ファンを起動して、プロジェクター機器の放熱を提供し続けるようにする。
【図面の簡単な説明】
【００１９】
図面は本願の技術的解決手段の更なる理解を提供するためのものであり、且つ明細書の一部となり、本願の実施例と共に本願の技術的解決手段を解釈することに用いられ、本願の技術的解決手段を制限することがない。
【図１】図1は本発明の実施例のプロジェクター機器の冷却ファンの保護を実現する方法のフローチャートである。
【図２】図2は本発明の実施例のプロジェクター機器の冷却ファンの保護を実現する装置の構造ブロック図である。
【図３】図3は本発明のプロジェクター機器の冷却ファンの保護を実現する実施例装置の回路構造ブロック図である。
【発明を実施するための形態】
【００２０】
以下、図面を参照して本願の実施例を詳細的に説明する。なお、矛盾しない場合に、本願における実施例及び実施例における特徴を互いに任意に組み合わせることができる。
【００２１】
図1は本発明の実施例のプロジェクター機器の冷却ファンの保護を実現する方法のフローチャートであり、図1に示すように、以下のステップ100〜102を含む。
【００２２】
ステップ100、プロジェクター機器が作動状態にある際に、プロジェクター機器が落下する際の落下関連情報をリアルタイムに取得する。
【００２３】
該ステップにおいて、プロジェクター機器が落下する際の落下関連情報をリアルタイムに取得するのは、
二軸又は三軸の加速度センサーによって、プロジェクター機器の落下時の時間情報と加速度情報をリアルタイムに取得することを含む。
【００２４】
ステップ101、プロジェクター機器の落下関連情報に基づき、冷却ファンの落下状態情報を確定する。
【００２５】
該ステップにおいて冷却ファンの落下状態情報を確定するのは、
加速度センサーが取得したプロジェクター機器の加速度が第1閾値に達し、且つ時間情報に基づき持続時間が200ミリ秒に達することを確定した際に、落下状態情報がドロップ状態であることを確定することを含み、
第1閾値は絶対値が0.2より小さいいずれかの所定の値と重力加速度を乗算した積である。
【００２６】
なお、重力加速度は1つの物体が重力作用を受ける場合に持っている加速度である。加速度は速度変化量とこの変化を発生する所要の時間との比であり、物体の速度変化の速さを説明する物理量である。また、第1閾値の選択は実際の応用環境に応じて選択する。後続のステップにおける第2閾値とドロップ状態がドロップ静止であることを確定する時間とは、第1閾値の選択と同じ、いずれも実際の応用を結合して確定する必要がある。ここで、実際の応用環境は標高、プロジェクター機器の使用環境、プロジェクター機器のドロップ抵抗指標要求等を含む。
【００２７】
ステップ102、冷却ファンの落下状態情報がドロップ状態であって冷却ファンが作動状態にある際に、冷却ファンの運転を停止する。
【００２８】
該ステップの前に、投影ユニットと冷却ファンとの作動状態を取得することを更に含んでもよい。
【００２９】
なお、投影ユニットと放熱ユニットとはそれぞれプロジェクター機器の2つのユニットであり、投影ユニットはマルチメディア情報の投影再生を行い、放熱ユニットは投影ユニットのために放熱を提供する。投影ユニットと冷却ファンとの作動状態の取得は、スイッチ或いは回路における作動信号の取得によって直接に取得されることができ、作動状態を取得する方法は当業者にとって既知のよく用いられる技術手段であり、ここで繰り返して説明しない。
【００３０】
本実施例の方法は、加速度センサーが取得したプロジェクター機器の重力加速度は第2閾値範囲内であって、時間情報に基づき持続時間が1〜2秒の間のいずれかの所定の値に達することを確定した際に、落下状態情報がドロップ静止状態であることを確定することと、
落下状態情報がドロップ静止であって投影ユニットが投影している際に、冷却ファンを起動することと、を更に含んでもよく、
第2閾値は0.8と1.2とのそれぞれに重力加速度を乗算した積の区間値である。
【００３１】
本発明の実施例は冷却ファンの落下状態情報をリアルタイムに取得し、ドロップ状態であるのを判断したプロジェクター機器の冷却ファンに対して作動処理を停止することによって、冷却ファンが作動する際のドロップ抵抗能力が低下し、ドロップする際に、冷却ファンが損壊することを避け、より大きい口径とより大きい電力の冷却ファンがプロジェクター機器に応用されることができ、ドロップが停止した後に、プロジェクター機器の冷却ファンを起動して、放熱を提供し続ける。
【００３２】
図2は本発明の実施例のプロジェクター機器の冷却ファンの保護を実現する装置の構造ブロック図であり、図2に示すように、取得ユニットと処理ユニットを備え、
取得ユニットは、プロジェクター機器が作動状態にある際に、プロジェクター機器が落下する際の落下関連情報をリアルタイムに取得するように設定される。
【００３３】
取得ユニットは二軸又は三軸の加速度センサーからなり、プロジェクター機器の落下時の時間情報と加速度情報をリアルタイムに取得するように設定されてもよい。
【００３４】
処理ユニットは、プロジェクター機器の落下関連情報に基づき冷却ファンの落下状態情報を確定し、冷却ファンの落下状態情報がドロップ状態であって冷却ファンが作動状態にある際に、冷却ファンの運転を停止するように設定される。
【００３５】
処理ユニットは落下状態情報分析モジュールと処理モジュールを備え、
落下状態情報分析モジュールは、加速度センサーが取得したプロジェクター機器の加速度が第1閾値に達し、且つ時間情報に基づき持続時間が200ミリ秒に達することを確定した際に、落下状態情報がドロップ状態であることを確定するように設定され、
処理モジュールは、落下状態情報がドロップ状態であって冷却ファンが作動状態にある際に、冷却ファンの運転を停止するように設定され、
第1閾値は絶対値が0.2より小さいいずれかの所定の値と重力加速度を乗算した積である。
【００３６】
落下状態情報分析モジュールは更に、加速度センサーが取得したプロジェクター機器の重力加速度は第2閾値範囲内であって、時間情報に基づき持続時間が1〜2秒の間のいずれかの所定の値に達することを確定した際に、落下状態情報がドロップ静止状態であることを確定するように設定される。
【００３７】
処理モジュールは更に、落下状態情報がドロップ静止であって投影ユニットが投影している際に、冷却ファンを起動するように設定され、第2閾値は0.8と1.2とのそれぞれに重力加速度を乗算した積の区間値である。
【００３８】
本実施例の装置は投影ユニットと冷却ファンとの作動状態感知ユニットを更に備え、投影ユニットと冷却ファンとの作動状態を取得するように設定される。
【００３９】
図3は本発明のプロジェクター機器の冷却ファンの保護を実現する実施例の装置の回路構造ブロック図であり、図3に示すように、
加速度センサーは、プロジェクター機器の落下時の時間情報と加速度情報をリアルタイムに取得するように設定される。図3では、加速度センサーはkionix社が提供する、型番がKXCJX-1013の三軸加速度センサーを採用し、また、ST社が提供する、型番がLIS3DHTRの三軸加速度センサーを採用してもよい。
【００４０】
マイクロプロセッサは図2における処理ユニットの機能を実現し、Qualcommインテリジェント端末チップ又はMSM8974Aaに集積された4コアマイクロプロセッサ等によって実現されることができる。
【００４１】
以上のように本願は実施形態を開示したが、上記の内容は本願の理解の便利のために採用する実施形態だけであり、本願を制限するためのものではなく、例えば本発明の実施形態における音声記録に関する方法、通話信号の取得に関する方法等である。当業者の誰でも、本願が開示した精神及び範囲を逸脱しない前提で、実施の形態及び細部にはいずれの修正及び変化を行うことができるが、本願の特許保護範囲は、依然として付いた請求の範囲によって限られた範囲を基準とする必要がある。
【００４２】
当業者は、上記実施例の全部又は一部のステップがコンピュータプログラムプロセスで実現することができ、前記コンピュータプログラムはコンピュータ読み取り可能な記憶媒体に記憶されることができ、前記コンピュータプログラムは対応するハードウェアプラットフォーム（例えばシステム、デバイス、装置、機器等）で実行し、実行する際、方法の実施例のステップの1つ又はその組み合わせを含むことを理解することができる。
【００４３】
選択的に、上記実施例の全部又は一部のステップは集積回路を使用して実現することもでき、これらのステップはそれぞれに各集積回路モジュールに製造されるか、又はそれらの中の複数のモジュール又はステップを単一の集積回路モジュールに製造して実現することができる。このように、本発明はいかなる特定のハードウェアとソフトウェアの組合せに限定されない。
【００４４】
上記実施例における各装置/機能モジュール/機能ユニットは汎用の計算装置を採用して実現することができ、それらは単一の計算装置に集積されてもよく、複数の計算装置からなるネットワークに分布されてもよい。
【００４５】
上記実施例における各装置/機能モジュール/機能ユニットはソフトウェア機能モジュールで実現するとともに独立な製品として販売又は使用される場合、1つのコンピュータ読み取り可能な記憶媒体に記憶することができる。上記のコンピュータ読み取り可能な記憶媒体は読み取り専用メモリ、磁気ディスク又はCD等であってもよい。
【００４６】
当業者の誰でも、本発明に開示された技術範囲内に簡単に想到する変化又は切替は、いずれも本発明の保護範囲に属すべきである。このため、本発明の保護範囲は請求の範囲に記載の保護範囲を標準とすべきである。
【産業上の利用可能性】
【００４７】
本発明の実施例は冷却ファンの落下状態情報をリアルタイムに取得し、ドロップ状態であるのを判断したプロジェクター機器の冷却ファンに対して作動処理を停止することによって、冷却ファンが作動する際のドロップ抵抗能力が低下し、ドロップする際に冷却ファンを損壊することを避け、より大きい口径とより大きい電力の冷却ファンがプロジェクター機器に応用されることができ、ドロップが停止した後に、プロジェクター機器の冷却ファンを起動して、プロジェクター機器の放熱を提供し続けるようにする。
【図１】
0006317519.tif 000002
【図２】
0006317519.tif 000003
【図３】
0006317519.tif 000004